(57)【特許請求の範囲】
【請求項１】
接離する両部の合わせ部分にケーブル用導出口（４）を形成した電気機器用筐体（３）において、前記ケーブル用導出口（４）の対向両内面に、それぞれ、発泡弾性体製のパッキング（５ａ），（５ｂ）を互いに隣接して接触する状態に固定すると共に、前記電気機器用筐体（３）の組立状態において前記両パッキング（５ａ），（５ｂ）とケーブル（６）の周面との接触部分がそれぞれケーブル（６）の周面の半周以上の範域となるように、前記両パッキング（５ａ），（５ｂ）がそれぞれ前記ケーブル（６）の周面を押圧していることを特徴とする電気機器用筐体におけるケーブル導出口の閉塞装置。
【請求項２】
前記パッキング（５ａ），（５ｂ）として、独立気泡構造の発泡弾性体を採択した請求項１に記載の電気機器用筐体におけるケーブル導出口の閉塞装置。
【請求項３】
前記パッキング（５ａ），（５ｂ）の材質として、塩化ビニールを採択した請求項１または請求項２に記載の電気機器用筐体におけるケーブル導出口の閉塞装置。
【発明の詳細な説明】
【０００１】
【発明の属する技術分野】
本発明は、電気機器用筐体におけるケーブル導出口の閉塞装置に関するものであって、ＰＯＳ関連機器，情報処理機器等のように、電源ケーブル，電送ケーブル，信号ケーブル等の各種ケーブルを筐体の導出口から導出する電気機器に適したケーブル導出口の閉塞装置に関するものであり、詳しくは導出口を発泡弾性体により閉塞する型式の閉塞装置に関するものである。
【０００２】
【従来の技術】
電気機器においては内部の温度上昇により虫の好む温度が保たれて害虫の侵入を助長する関係上、害虫の侵入により電気機器に少なからず悪影響を及ぼして機器の誤作動あるいは故障を惹起する場合があるから、導出口を発泡弾性体により閉塞することが行われており、従来のこの種の閉塞装置としては、例えば図４および図５のように、筐体を構成する主部Ａと蓋部Ｂとの合わせ部分に導出口Ｃを形成し、その導出口Ｃの対向両内面に発泡弾性体製のパッキングＤを互いに直線状に突合せ状態となるように各別に設け、両パッキングＤ同士の対接面においてケーブルＥを挟持する状態に圧接させるようにしている。
【０００３】
【発明が解決しようとする課題】
上記従来構造によれば、ケーブル付近における両パッキングＤ同士の対接部分にほぼ三角形の間隙Ｆが生じるから、この間隙Ｆを経て害虫および塵埃が侵入して機器の誤作動あるいは故障の原因となり易い。
【０００４】
そこで本発明の目的は、簡単な構成のもとに前記間隙の形成を阻止することができる閉塞装置を提供することにある。
【０００５】
【課題を解決するための手段】
本発明は、上記目的を達成するため、筐体を構成する主部と蓋部とのような接離する両部分の合わせ部分に形成した導出口の対向両内面に発泡弾性体製のパッキングを互いに一直線に突き合わせることなく、パッキングの隣接側面が互いに接触する齟齬状態に各別に設けると共に、組立状態においてパッキングの端面がケーブル周面と接触する部分が半周以上の範域となる高さのパッキングを選定することを特徴とする。
【０００６】
両パッキングの側面部分が互いに接触する齟齬状態に設けることにより、発泡弾性体が保有する柔軟性により圧接部分においてケーブルに密接し、パッキングの端面とケーブル周面とがケーブル周面の半周以上の範域において密接すると同時に、両パッキングの側面部分の接触により、ケーブル周囲に間隙を生じることなく導出口が閉塞される。
【０００７】
【発明の実施の形態】
以下、本発明の閉塞装置を図示の実施形態について詳細に説明する。
【０００８】
適用対象としての電気機器用筐体としては、例えば図１ないし図３のように、底壁１ａと側壁１ｂ，１ｃ，１ｄと一端に切欠部がある側壁１ｅとからなる上部が開口したほぼ箱形の主部１を設けると共に、主部１の上部開口を覆う頂壁２ａと主部１の側壁１ｅに対応する側壁２ｂとからなる断面Ｌ字形の蓋部２を設け、これら主部１と蓋部２とを嵌合状態に結合することにより、ほぼ直方体の筐体３を構成するほか、主部１における側壁１ｅを内方へ移動し、主部１の側壁１ｅ，底壁１ａと、蓋部２の頂壁２ａ，２ｂとにより囲まれるトンネル状のケーブル用導出口４を形成した型式を採択するのであるが、本発明は上記型式に限らず、他の種々の電気機器用筐体に適用することができることは当然である。
【０００９】
上記型式の筐体３に対する本発明の特殊構成としては、例えば図１ないし図３のように、導出口４に面する主部１における側壁１ｅと、蓋部２における側壁２ｂとの内面には、長さが側壁１ｅ，２ｂの高さに一致するほか、高さが導出口４の幅の２分の１よりも適度に高い角棒状の発泡弾性体製パッキング５ａ，５ｂを互いの隣接側面が接触する齟齬状態のもとに接着剤あるいは両面粘着テープにより各別に貼着固定し、もって図２および図３のように主部１と蓋部２とを組み立てた場合、両パッキング５ａ，５ｂの端面によりケーブル６を押圧してケーブル６の半周以上の範域をパッキング５ａ，５ｂの端面に圧接させるようにする。
【００１０】
上記構成により、両パッキング５ａ，５ｂの隣接側面同士の接触による閉塞作用と、両パッキング５ａ，５ｂの端面の両側からの圧接による閉塞作用とが相俟って、ケーブル６の貫通を許容した状態のもとに導出口４を確実に閉塞するようにしてなり、なお両パッキング５ａ，５ｂにおけるケーブル６との接触面付近はケーブル６の押圧により厚み方向へ僅かに膨らむ傾向があるから、両パッキング５ａ，５ｂの隣接側面同士の接触による閉塞作用は助長され、好都合である。
【００１１】
前記パッキング５ａ，５ｂの数は各１個に限らず、２個と１個，複数個と複数個であってもよく、閉塞効果を一層増大することができる。
【００１２】
なお前記パッキング５ａ，５ｂとしては、ポリウレタンフォーム，ポリエチレンフォームでもよいが、独立気泡構造を有する塩化ビニールの弾性発泡体が、柔軟性，遮音性，対候性，対薬品性に富む関係上最適であり、発泡体として微細メッシュであれば連続気泡構造であってもよいが、独立気泡構造の発泡弾性体が望ましいことは当然で、なお実施に当たり、株式会社イノアックコーポレーション製の独立気泡構造の塩化ビニール発泡体「エクセシールＲ」（商品名）を使用した結果、好結果が得られた。
【００１３】
ケーブル６の形状については円形に限らず、扁平状あるいは複数本を束ねた形状に対しても適用することができ、また、複数本のケーブル６を適度の間隔を保って平行のまま、パッキング５ａ，５ｂにより挟持して導出口４を閉塞するようにしてもよいのである。
【００１４】
【発明の効果】
以上説明したように、本発明によれば、導出口４の対向両内面に発泡弾性体製のパッキング５ａ，５ｂを隣接側面が互いに接触する齟齬状態に各別に設けるほか、組立状態においてパッキング５ａ，５ｂの端面とケーブル６の周面との接触部分がケーブル６の周面の半周以上の範域となる高さのパッキング５ａ，５ｂを選定したから、これにより発泡弾性体が保有する柔軟性のもとに両パッキング５ａ，５ｂの端面部分がケーブル６の全周に密接し、かつ両パッキング５ａ，５ｂの側面部分の相互接触により、ケーブル６の周囲に間隙を生じることなく導出口４を確実に閉塞することができ、従って著しく簡単な構成のもとに、筐体３内への害虫並びに塵埃の侵入を阻止し、これらの侵入に起因する内部の電装機器の誤作動あるいは故障を容易かつ確実に防止することができる。
【図面の簡単な説明】
【図１】本発明の閉塞装置を適用した電気機器用筐体を示す分解斜面図である。
【図２】図１の装置の組立状態を示す部分的破断平面図である。
【図３】図１の装置の組立状態を示す部分的破断正面図である。
【図４】従来装置の部分的破断平面図である。
【図５】図４の装置の正面図である。
【符号の説明】
３  筐体
４  導出口
５ａ  パッキング
５ｂ  パッキング
６  ケーブル
【図１】
0003899151.tif 000002
【図２】
0003899151.tif 000003
【図３】
0003899151.tif 000004
【図４】
0003899151.tif 000005
【図５】
0003899151.tif 000006